(57)【要約】【課題】マルチキャリア通信方式などの伝送信号の振幅のピーク値を、伝送路の状態に応じて効果的に抑制する。【解決手段】ＯＦＤＭ送信機２は、ＯＦＤＭ受信機との間の伝送路において、マルチパス遅延量が大きい場合には、１伝送フレームにＮ個のサンプルとｋサンプル分のガードビットとを含む伝送信号を生成して送信し、マルチパス遅延量の大きさに、ガード時間を長くすることにより対応する。反対に、伝送路におけるマルチパス遅延量が小さい小さい場合には、ＯＦＤＭ送信機２は、１伝送フレームにＮ／２個のサンプルとｋ／２サンプル分のガードビットとを含む伝送信号を生成して、ＯＦＤＭ受信機５に対して送信し、送信信号の振幅のピーク値を抑える。【選択図】          図７
2004274535.tif 000002
【特許請求の範囲】
【請求項１】
複数のシンボルを含む送信データを変調する変調装置であって、
前記送信データを、複数のシンボル数のいずれかを処理単位として直交逆変換し、前記直交逆変換されたシンボル数に応じた数のサンプルを含む変調データとする変調手段と、
前記変調データを伝送信号に変換する変換手段と、
前記伝送された伝送信号の伝搬状態に応じて、前記直交逆変換の処理単位とされるシンボル数を制御するシンボル数制御手段と
を有する変調装置。
【請求項２】
複数のサンプルを含む変調データを復調する復調装置であって、前記伝送信号は、前記変調データが変換されて生成され、前記変調データは、送信データに含まれるシンボルを、伝送される送信信号の伝搬状態に応じて、複数のシンボル数のいずれかを処理単位として直交変換し、前記直交変換されたシンボル数に応じた数のサンプルを含む変調データとすることにより生成され、
前記伝送信号を変換して前記変調とする変換手段と、
前記変調データを、前記サンプル数ずつ直交変換して復調し、前記サンプル数に応じた数のシンボルを含む前記送信データとする復調手段と、
前記伝送された伝送信号の伝搬状態に応じて、前記直交変換されるサンプルの数を制御するサンプル数制御手段と
を有し、
前記復調手段は、
一定数のサンプルを直交変換する直交変換手段と、
前記サンプル数の制御に応じて、前記直交変換手段に対する変調データの入力、および、前記直交変換手段から出力されるデータの選択の態様を変更して変換させ、前記サンプル数に応じた数のシンボルを含む前記送信データとさせる復調制御手段と
を有する
復調装置。
【発明の詳細な説明】
【０００１】
【発明の属する技術分野】
本発明は、伝送しようとするデータを直交変換して変調を行う変調装置、および、このような変調信号を直交逆変換して復調する復調装置に関する。
【０００２】
【従来の技術】
たとえば、特許文献１は、多くの搬送波を用いてデータの伝送を行うマルチキャリア通信方式として、ＯＦＤＭ（Ｏｒｔｈｇｏｎａｌ  Ｆｒｅｑｕｅｎｃｙ  Ｄｉｖｉｓｉｏｎ  Ｍｕｌｔｉｐｌｅｘ）方式を開示する。
また、特許文献２〜７は、マルチキャリア通信方式などの伝送信号が、電力増幅器の増幅特性の非直線部分で増幅されるために生じる非直線歪を軽減するために、伝送信号のピーク値を抑制する方法を開示する。
【０００３】
【特許文献１】日経エレクトロニクス（２００２年４月８日，ｐｐ．１０２〜１２７）
【特許文献２】特開２００１−３３９３６１号公報
【特許文献３】特開２００２−４４０５２号公報
【特許文献４】特開２００２−７７０７９号公報
【特許文献５】特開平１１−３１３９４２号公報
【特許文献６】特開２００２−４４０５４号公報
【特許文献７】特開２００１−２７４７６８号公報
【０００４】
【発明が解決しようとする課題】
本発明は、上述した背景からなされたものであり、マルチキャリア通信方式などの伝送信号の振幅のピーク値を、伝送路の状態に応じて効果的に抑制することができる変調装置および復調装置を提供することを目的とする。
【０００５】
【課題を解決するための手段】
［変調装置］
上記目的を達成するために、本発明に係る変調装置は、複数のシンボルを含む送信データを変調する変調装置であって、前記送信データを、複数のシンボル数のいずれかを処理単位として直交逆変換し、前記直交逆変換されたシンボル数に応じた数のサンプルを含む変調データとする変調手段と、前記変調データを伝送信号に変換する変換手段と、前記伝送された伝送信号の伝搬状態に応じて、前記直交逆変換の処理単位とされるシンボル数を制御するシンボル数制御手段とを有する。
【０００６】
［復調装置］
また、本発明に係る復調装置は、複数のサンプルを含む変調データを復調する復調装置であって、前記伝送信号は、前記変調データが変換されて生成され、前記変調データは、送信データに含まれるシンボルを、伝送される送信信号の伝搬状態に応じて、複数のシンボル数のいずれかを処理単位として直交変換し、前記直交変換されたシンボル数に応じた数のサンプルを含む変調データとすることにより生成され、前記伝送信号を変換して前記変調データとする変換手段と、前記変調データを、前記サンプル数ずつ直交変換して復調し、前記サンプル数に応じた数のシンボルを含む前記送信データとする復調手段と、前記伝送された伝送信号の伝搬状態に応じて、前記直交変換されるサンプルの数を制御するサンプル数制御手段とを有し、前記復調手段は、一定数のサンプルを直交変換する直交変換手段と、前記サンプル数の制御に応じて、前記直交変換手段に対する変調データの入力、および、前記直交変換手段から出力されるデータの選択の態様を変更して変換させ、前記サンプル数に応じた数のシンボルを含む前記送信データとさせる復調制御手段とを有する。
【０００７】
【発明の実施の形態】
［本発明の背景］
本発明の理解を助けるために、まず、本発明がなされるに至った背景を説明する。
【０００８】
［第１のＯＦＤＭ送信機１］
図１は、本発明の背景の説明のために例示する第１のＯＦＤＭ送信機１の構成を示す図である。
図１に示すように、第１のＯＦＤＭ送信機１は、送信データ生成部１０および送信部１２から構成される。
【０００９】
送信データ生成部１０は、シリアル／パラレル変換部（Ｓ／Ｐ）１００、Ｍ個（Ｍ≦Ｎ；Ｎは２のべき乗）のマッピング部１０２−１〜１０２−Ｍ、ＩＦＦＴ部１０４、ガード挿入部１０６および直交変調部１０８から構成される。
送信部１２は、ディジタル／アナログ変換回路（Ｄ／Ａ）１２０、局部発信回路１２２、周波数変換回路１２４および電力増幅器（ＴＸ−ＡＭＰ）１２６から構成される。
【００１０】
ＯＦＤＭ送信機１は、これらの構成部分により、外部の機器（図示せず）からシリアルに入力されるデジタル形式の送信データから、ＯＦＤＭ方式の伝送信号を生成し、無線回線に対して送信する。
なお、以下、マッピング部１０２−１〜１０２−Ｍなど、複数ある構成部分のいずれかを特定せずに示す場合には、単にマッピング部１０２などと略記することがある。
【００１１】
図２は、図１に示した送信データ生成部１０のハードウェア構成を例示する図である。
例えば、送信データ生成部１０の各構成要素は、カスタムＬＳＩなどによって、ハードウェア的に実現されうる。
あるいは、例えば、送信データ生成部１０の各構成部分は、ソフトウェア的に実現されうる。
【００１２】
送信データ生成部１０がソフトウェア的に実現される場合には、例えば、送信データ生成部１０を実行するハードウェアとして、図２に例示するＤＳＰ回路１４が用いられる。
図２に示すように、ＤＳＰ回路１４は、外部機器から送信データを受け入れる入力インターフェース回路（入力ＩＦ）１４０、ＲＯＭ１４４にプログラムとして記憶された送信データ生成部１０を、ＲＡＭ１４６などを用いて実行するＤＳＰ（Ｄｉｇｉｔａｌ  Ｓｉｇｎａｌ  Ｐｒｏｃｅｓｓｏｒ）１４２、および、送信データ生成部１０による処理の結果として得られる伝送データを送信部１２に対して出力する出力ＩＦ１４８などから構成される。
【００１３】
送信データ生成部１０（図１）において、Ｓ／Ｐ１００は、ＯＦＤＭ送信機１に接続されたＰＣなどの外部機器（図示せず）から入力される送信データをパラレル形式に変換し、Ｎ個のシンボル＃１〜＃Ｎとして、マッピング部１０２−１〜１０２−Ｍそれぞれに対して出力する。
なお、例えば、送信データ生成部１０が、ＢＰＳＫ（Ｂｉｎａｒｉｐｈａｓｅ  Ｐｈａｓｅ  Ｓｉｆｔ  Ｋｅｙｉｎｇ）により変調を行う場合には、シンボル＃１〜＃Ｎそれぞれは、１ビットのデータを含む。
また、例えば、送信データ生成部１０が、１６ＱＡＭ（Ｑｕａｄｒａｔｕｒｅ  Ａｍｐｌｉｔｕｄｅ  Ｍｏｄｕｌａｔｉｏｎ）により変調を行う場合には、シンボル＃１〜＃Ｎそれぞれは、４ビットのデータを含む。
但し、実際には、Ｎ−Ｍ個のシンボルの値は固定値０とされ、固定値０とされるシンボル以外のＭ個のシンボルそれぞれが、Ｍ個のマッピング部１０２−１〜１０２−Ｍそれぞれに入力される。
このように、値０のシンボルが挿入される理由は、Ｄ／Ａ変換の際に発生する高周波成分を除去する必要があり、Ｎ個のシンボルの全てが実際のデータ伝送に使用されると、この高周波成分が除去できなくなるからである。
【００１４】
マッピング部１０２それぞれは、送信データ生成部１０の変調方式に従って、Ｓ／Ｐ１００から入力されたシンボルを、信号点にマッピングし、マップドデータとする。
つまり、マッピング部１０２それぞれは、シンボルを、ある搬送波の位相と振幅とに対応づけることにより変調を行う。
【００１５】
ＩＦＦＴ部１０４は、マッピング部１０２−１〜１０２−Ｍそれぞれから入力される信号点にマッピングされたＮ個のシンボル（Ｎ個のマップドデータ）に対して逆ＦＦＴ（ＩＦＦＴ）処理を行う。
つまり、ＩＦＦＴ部１０４は、マッピング部１０２−１〜１０２−Ｍにより生成された周波数領域のマップドデータを時間領域に一括変換し、１伝送フレーム当たりＮ個のサンプル（ＩＦＦＴ処理の対象となるＮ個のシンボルに対応）を含むＩ成分およびＱ成分の伝送データとして、直交変調部１０８に対して出力する。
【００１６】
ガード挿入部１０６は、伝送データに対してガードビットを挿入する。
【００１７】
直交変調部１０８は、ガードビットが挿入された伝送データのＩ成分およびＱ成分で、搬送波データを直交変調し、伝送データとして送信部１２に対して出力する。
【００１８】
送信部１２（図１）において、Ｄ／Ａ１２０は、送信データ生成部１０の加算部１１８（図３）から入力されるディジタル形式の伝送データを、アナログ形式の伝送信号に変換する。
さらに、Ｄ／Ａ１２０は、生成した伝送信号をフィルタリングして不要周波数成分を除き、周波数変換回路１２４に対して出力する。
【００１９】
局部発信回路１２２は、Ｄ／Ａ１２０から入力された伝送信号を所望の周波数とするために用いられるアナログ形式の周波数変換用信号Ｌｏ２を生成し、周波数変換回路１２４に対して出力する。
【００２０】
周波数変換回路１２４は、Ｄ／Ａ１２０から入力される伝送信号と、局部発信回路１２２から入力される周波数変換用信号Ｌｏ２とを、アナログ処理によりミックスし、所望の周波数の伝送信号に変換する。
【００２１】
電力増幅器１２６は、周波数変換回路１２４から入力される伝送信号を電力増幅し、アンテナ１２８を介して無線回線に対して送信する。
【００２２】
［第１のＯＦＤＭ受信機４］
図３は、本発明の背景の説明のために例示する第１のＯＦＤＭ受信機４の構成を示す図である。
図３に示すように、ＯＦＤＭ受信機４は、受信部４０および伝送データ復調部４２から構成される。
受信部４０は、受信アンプ（ＲＸ−ＡＭＰ）４０２、局部発振回路４０４、周波数変換部４０６およびＡ／Ｄ変換器４０８から構成される。
伝送データ復調部４２は、直交復調部４２０、ガード除去部４２２、ＦＦＴ部４２４、第１〜第Ｍの復調部４２６−１〜４２６−Ｍおよびパラレル／シリアル変換部（Ｐ／Ｓ）４２８から構成される。
このように、復調部４２６の数がＭ個とされる理由は、マッピング部１０２の数について説明したように、Ｎ個のＦＦＴデータから復調される有意なシンボルの数はＭ個であって、その他のＮ−Ｍ個のシンボルの値は固定値０だからである。
【００２３】
なお、第１のＯＦＤＭ受信機４の伝送データ復調部４２の各構成部分も、第１のＯＦＤＭ送信機１の送信データ生成部１０（図１）と同様に、専用のハードウェアによっても、図２に示したＤＳＰ回路１４によっても実現されうる。
ＯＦＤＭ受信機４は、これらの構成部分により、ＯＦＤＭ送信機１（図１）により生成され、送信された伝送信号を受信して復調し、ＯＦＤＭ送信機１における送信データに対応する受信データを出力する。
【００２４】
ＲＸ−ＡＭＰ４０２は、アンテナ４００を介してＯＦＤＭ送信機１などからの伝送信号を受信し、増幅して周波数変換回路４０６に対して出力する。
【００２５】
局部発振回路４０４は、ＲＸ−ＡＭＰ４０２から出力される伝送信号を所望の周波数とするために用いられるアナログ形式の周波数変換用信号Ｌｏ２を生成し、Ａ／Ｄ変換器４０８に対して出力する。
【００２６】
周波数変換回路４０６は、ＲＸ−ＡＭＰ４０２から入力される伝送信号と、局部発信回路４０４から入力される周波数変換用信号Ｌｏ２とを、アナログ処理によりミックスし、所望の周波数の伝送信号に変換する。
【００２７】
Ａ／Ｄ変換器４０８は、周波数変換回路４０６から入力されるアナログ形式の伝送信号をデジタル形式の伝送データに変換し、伝送データ復調部４２の直交復調部４２０に対して出力する。
【００２８】
直交復調部４２０は、ＯＦＤＭ送信機１（図１）における直交変調部１０８に対応する処理を行い、Ａ／Ｄ変換器４０８から入力される伝送データを、搬送波データを用いて復調し、Ｉ成分およびＱ成分を含み、ガードビットが挿入された状態の復調データ（ＯＦＤＭ送信機１（図１）として、ＦＦＴ部４２４に対して出力する。
【００２９】
ガード除去部４２２は、直交復調部４２０から入力される復調データから、ガードビットを除去する。
【００３０】
ＦＦＴ部４２４は、ガード除去部４２２から入力されるガードビットが除去され、復調データを、それぞれＮ個のサンプルを含む伝送フレーム単位でＦＦＴ変換してＮ個のシンボル＃１〜＃Ｎとし、これらシンボル＃１〜＃Ｎそれぞれを、復調部４２６−１〜４２６−Ｍに対して出力する。
【００３１】
復調部４２６−１〜４２６−Ｍは、ＯＦＤＭ送信機１（図１）におけるマッピング部１０２−１〜１０２−Ｍに対応する処理を行い、ＦＦＴ部４２４から入力されるＮ個のシンボル＃１〜＃Ｎを復調し、パラレル形式の受信データとしてＰ／Ｓ４２８に対して出力する。
【００３２】
Ｐ／Ｓ４２８は、復調部４２６−１〜４２６−Ｍから入力されるパラレル形式の受信データを、シリアル形式に変換して出力する。
Ｐ／Ｓ４２８から出力された受信データは、ＯＦＤＭ受信機４に接続されるＰＣなどの外部機器（図示せず）に対して出力される。
【００３３】
［ＯＦＤＭ方式の特徴］
以上説明した第１のＯＦＤＭ送信機１および第１のＯＦＤＭ受信機４（図１〜図３）により、ＯＦＤＭ方式のデータ伝送を行うことができる。
ＯＦＤＭ方式によれば、他の方式、例えばＣＤＭ（Ｃｏｄｅ  Ｄｉｖｉｓｉｏｎ  Ｍｕｌｔｉｐｌｅ）方式およびＴＤＭ（Ｔｉｍｅ  Ｄｉｖｉｓｉｏｎ  Ｍｕｌｔｉｐｌｅ）方式において、広帯域化に起因する高速伝送時のマルチパス干渉の影響を改善することができる。
これは、ＯＦＤＭ方式においては、伝送信号に複数の搬送信号が含まれ、これら複数の搬送信号それぞれを変調して得られる変調信号それぞれの帯域が狭く抑えられるので、シンボル長を長くすることができるためである。
また、これは、ＯＦＤＭ方式の伝送データには、ガードビットが挿入され、このガードビットの伝送時間（ガード時間）に対応するマルチパス遅延波の影響を排除することができるためである。
【００３４】
しかしながら、ガード時間の間、有効なデータの伝送は行われないので、データ伝送効率を向上させるためには、ガード時間は短くされるべきである。
従って、ＯＦＤＭ方式のデータ伝送システムが置かれた環境、例えば、伝送信号の伝送路の状態などに応じて、必要最小限のガード時間が選択されるである。
また、ＯＦＤＭ方式特有の問題として、伝送信号に含まれる多くの変調信号の位相が一致して、複数の変調信号の振幅のピークが重なってしまうと、これらを合成して得られる伝送信号の振幅にも、大きなピークが生じてしまうことがある。
伝送信号を、その振幅のピークでもひずみ無く電力増幅するためには、ＯＦＤＭ送信機１（図１）の送信部１２のＴＸ−ＡＭＰ１２６に、大きい電力の伝送信号を扱うことができる増幅素子を用い、大きな電流で動作させる必要があるなどの理由で、ＴＸ−ＡＭＰ１２６の電力効率が低下してしまう。
【００３５】
［本発明の概要］
図４は、本発明の概要を説明する第１の図であって、ＯＦＤＭ方式によりデータ伝送を行う際に、伝送路におけるマルチパス遅延波の遅延量が多いときに採用されるべき伝送データの構成（上部）と、伝送信号の波形（下部）とを例示する。
また、図５は、本発明の概要を説明する第２の図であって、ＯＦＤＭ方式によりデータ伝送を行う際に、伝送路におけるマルチパス遅延波の遅延量が少ないときに採用されるべき伝送データの構成（上部）と、伝送信号の波形（下部）とを例示する。
【００３６】
例えば、伝送路におけるマルチパス遅延波の遅延量が大きい環境においてＯＦＤＭ送信機１（図１）が用いられる場合には、図４（上部）に示すように、ＩＦＦＴ部１０４は、１度にＩＦＦＴ処理するシンボルの数をＮ個とし、ガード挿入部１０６は、Ｇ（秒；ｋサンブル分）のガードタイムを付加すればよい。
また、例えば、マルチパス遅延波の遅延量が小さい環境において、適切な変更が施されたＯＦＤＭ送信機１が用いられる場合には、図５（下部）に示すように、ＩＦＦＴ部１０４は、１度にＩＦＦＴ処理するシンボルの数をＮ／２個とし、ガード挿入部１０６は、Ｇ／２（秒；ｋ／２サンプル分）のガード時間を付加すればよい。
【００３７】
図５に例示したように伝送データを構成しても、１伝送フレームに含まれる有効なシンボル数Ｎ／２およびガード時間Ｇ／２は、それぞれ、図４で示した伝送データ１伝送フレームに含まれるシンボル数Ｎおよびガード時間Ｇの１／２であり、ＯＦＤＭ送信機１は、図５に例示した伝送フレームを、図４に例示した伝送フレームの１／２の時間で送信することができる。
従って、図４に示した伝送フレームを用いても、図５に示した伝送フレームを用いても、ＯＦＤＭ送信機１のデータ伝送速度は同じである。
【００３８】
一方、図４に示した伝送フレームが用いられると、ＯＦＤＭ方式の原理により、伝送方式に含まれる変調信号（搬送信号）の数は、図５に示した伝送フレームが用いられる場合の１／２となる。
従って、図４，図５（下部）に示すように、図４に示した伝送フレームを用いた場合に、伝送信号に生じる振幅のピーク値は、図５に示した伝送フレームを用いた場合の２倍（＋６ｄＢ；電力値で＋３ｄＢ）となり、図５に示す伝送フレーム構成は、ＴＸ−ＡＭＰ１２６の電力効率の上では、図４に示す伝送フレーム構成よりも有利である。
従って、同じ規模のＴＸ−ＡＭＰ１２６（図１）を用いた場合には、図４に示した伝送フレームを用いると、ＯＦＤＭ送信機１は、図５に示した伝送フレームを用いた場合の２倍（＋３ｄＢ）の強度の伝送信号を送信することができるので、ＯＦＤＭ受信機４（図３）側でも、受信品質が高くなる。
【００３９】
図６は、マルチパス遅延波の遅延量と、伝送フレームに含まれるシンボル数とガード時間との関係を示す図表である。
つまり、図６に示すように、データ伝送速度を一定とする条件において、伝送路のマルチパス遅延波の遅延量が小さいときには、ＯＦＤＭ送信機１の伝送フレームに含まれるシンボル数を少なくし（図５に示した例においてはＮ／２）、ガード時間を短く（同じくＧ／２）すればよい。
また、図６に示すように、伝送路のマルチパス遅延波の遅延量が小さいときには、ＯＦＤＭ送信機１の伝送フレームに含まれるシンボル数を多くし、（図４に示した例においてはＮ）、ガード時間を長く（同じくＧ）すればよい。
本発明は、このような観点から、伝送路の状態に応じて、ＯＦＤＭ送信機におけるＩＦＦＴの処理単位となるシンボル数を変更することができるように構成されている。
なお、図４，図５に示した例においては、ＯＦＤＭ送信機１（図１）において、ＩＦＦＴ部１０４を変更せずに用いるために、図５に示した伝送フレームのシンボル数を、図４に示した伝送フレームの２倍としたが、ＩＦＦＴ部１０４が処理単位とするシンボル数は、２のべき乗数であれば、どのような数でもよい。
【００４０】
［第１実施形態］
以下、本発明の第１の実施形態を説明する。
【００４１】
［第２のＯＦＤＭ送信機２］
図７は、本発明に係る第２のＯＦＤＭ送信機２の構成を示す図である。
なお、図７においては、第２のＯＦＤＭ送信機２の構成部分の内、図１に示した第１のＯＦＤＭ送信機１の構成部分と実質的に同じものには、同じ符号が付されている。
図７に示すように、第２のＯＦＤＭ送信機２は、第２の送信データ生成部１６および送信部１２から構成される。
【００４２】
送信データ生成部１６は、第１および第２のデータ切り替え部１６０，１６２，第１の変調部１８、第２の変調部２０、第１および第２のガード挿入部１０６−１，１０６−２、直交変調部１０８、遅延量測定部１６４および切り替え制御部１６６から構成される。
送信データ生成部１６は、専用のハードウェアによっても、図２に示したＤＳＰ回路１４によっても実現されうる。
【００４３】
ＯＦＤＭ送信機２は、これらの構成部分により、ＯＦＤＭ送信機２と組み合わせて用いられる第２のＯＦＤＭ受信機５（図８）との間の伝送路において、例えば、マルチパス遅延量が大きい場合には、１伝送フレームにＮ個のサンプルとｋサンプル分のガードビットとを含む伝送信号を生成して、ＯＦＤＭ受信機５に対して送信する。
反対に、ＯＦＤＭ送信機２は、例えば、伝送路におけるマルチパス遅延量が小さい小さい場合には、１伝送フレームにＮ／２個のサンプルとｋ／２サンプル分のガードビットとを含む伝送信号を生成して、ＯＦＤＭ受信機５に対して送信する。
【００４４】
変調部１８は、Ｓ／Ｐ１００、マッピング部１０２−１〜１０２−Ｍ、ＩＦＦＴ部１０４から構成される。
第１の変調部１８は、これらの構成部分により、データ切り替え部１６０を介してシリアル形式で入力される送信データを、パラレル形式に変換してマッピングし、さらに、Ｎ個のシンボルを処理単位としてＩＦＦＴ処理を行い、変調して、１伝送フレームにＮ個のサンプルを含む伝送データを生成する。
第２の変調部２０は、Ｓ／Ｐ１００、マッピング部１０２−１〜１０２−Ｍ／２、ＩＦＦＴ部１０４から構成される。
第２の変調部２０は、これらの構成部分により、データ切り替え部１６０を介してシリアル形式で入力される送信データを、パラレル形式に変換してマッピングし、さらに、Ｎ／２個のシンボルを処理単位としてＩＦＦＴ処理を行い、変調して、１伝送フレームにＮ／２個のサンプルを含む伝送データを生成する。
【００４５】
第１のガード挿入部１０６−１は、第１の変調部１８から入力された伝送データにｋ（ｋは２の倍数）サンプル分のガードビットを付加し、データ切り替え部１６２を介して直交変調部１０８に対して出力する。
【００４６】
第２のガード挿入部１０６−２は、第２の変調部２０から入力された伝送データにｋ／２サンプル分のガードビットを付加し、データ切り替え部１６２を介して直交変調部１０８に対して出力する。
【００４７】
遅延量測定部１６４は、例えば、ＯＦＤＭ送信機２に外付けされた受信機（図示せず）あるいはＯＦＤＭ受信機５（図８を参照して後述）が受信した伝送信号から、マルチパス遅延量などの伝送路の状態を測定する。
【００４８】
切り替え制御部１６６は、遅延量測定部１６４が測定した伝送路のマルチパス遅延量が大きいときには、第１のデータ切り替え部１６０を、受信データを第１の変調部１８に対して出力するように切り替え、第２のデータ切り替え部１６２を、第１のガード挿入部１０６−１から入力される伝送データを選択するように切り替える。
また、切り替え制御部１６６は、伝送路のマルチパス遅延量が大きいときには、第１のデータ切り替え部１６０を、受信データを第２の変調部２０に対して出力するように切り替え、第２のデータ切り替え部１６２を、第２のガード挿入部１０６−２から入力される伝送データを選択するように切り替える。
なお、切り替え制御部１６６は、これらの切り替えを、外部からの制御・設定に応じて行ってもよい。
【００４９】
［第２のＯＦＤＭ受信機５］
図８は、本発明に係る第２のＯＦＤＭ受信機５の構成を示す図である。
なお、図８に示した第２のＯＦＤＭ受信機５の構成部分の内、図３に示した第１のＯＦＤＭ受信機４の構成部分と実質的に同じものには、同じ符号が付されている。
図８に示すように、ＯＦＤＭ受信機５は、受信部４０および第２の伝送データ復調部４６から構成される。
伝送データ復調部４６は、第１および第２のの復調部４８，５０、直交復調部４２０、第１および第２のガード除去部４２２−１，４２２−２、方式検出部４６０、切り替え制御部４６２、第１および第２のデータ切り替え部４６４，４６６から構成される。
ＯＦＤＭ受信機５は、これらの構成部分により、第２のＯＦＤＭ送信機２（図７）から伝送信号を受信して伝送データとし、第２のＯＦＤＭ送信機２における伝送フレーム構成に合わせて復調し、受信データとして出力する。
なお、伝送データ復調部４６は、第１のＯＦＤＭ受信機４（図３）の伝送データ復調部４２と同様に、専用のハードウェアによっても、図３に示したＤＳＰ回路１４によっても実現されうる。
【００５０】
方式検出部４６０は、直交復調部４２０から入力された伝送データを分析し、第２のＯＦＤＭ送信機２（図７）から、Ｎ個のサンプルおよびｋサンプル分のガードビットを含む伝送フレームの伝送データを受信したか、Ｎ／２個のサンプルおよびｋ／２サンプル分のガードビットを含む伝送フレームの伝送データを受信したかを検出し、検出結果を切り替え制御部４６２に対して出力する。
【００５１】
切り替え制御部４６２は、方式検出部４６０から入力される検出結果が、第２のＯＦＤＭ送信機２（図７）から、Ｎ個のサンプルおよびｋサンプル分のガードビットを含む伝送フレームの伝送データを受信したことを示す場合には、第１のデータ切り替え部４６４を制御して、直交復調部４２０が出力する伝送データが、第１のガード除去部４２２−１に対して出力されるようにし、第２のデータ切り替え部４６６を制御して、第１の復調部４８のＰ／Ｓ４２８が出力した受信データを選択させる。
また、切り替え制御部４６２は、検出結果が、第２のＯＦＤＭ送信機２から、Ｎ／２個のサンプルおよびｋ／２サンプル分のガードビットを含む伝送フレームの伝送データを受信したことを示す場合には、第１のデータ切り替え部４６４を制御して、直交復調部４２０が出力する伝送データが、第２のガード除去部４２２−２に対して出力されるようにし、第２のデータ切り替え部４６６を制御して、第２の復調部５０のＰ／Ｓ４２８が出力する伝送データを選択させる。
なお、切り替え制御部４６２は、これらの制御を、外部からの制御・設定により行ってもよい。
【００５２】
第１のガード除去部４２２−１は、直交復調部４２０から入力される伝送データから、ｋサンプル分のガードビットを除去し、第２の復調部４８に対して出力する。
【００５３】
第２のガード除去部４２２−２は、直交復調部４２０から入力される伝送データから、ｋ／２サンプル分のガードビットを除去し、第２の復調部５０に対して出力する。
【００５４】
第１の復調部４８は、ＦＦＴ部４２４、第１〜第Ｎの復調部４２６−１〜４２６−Ｍ、Ｐ／Ｓ４２８から構成される。
第１の復調部４８は、ガード除去部４２２から入力されたＮ個のサンプルを含む伝送データをＦＦＴ処理し、これらＮ個のサンプルそれぞれを復調してパラレル形式の受信データとし、さらに、パラレル形式の受信データをシリアル形式に変換し、データ切り替え部４６６を介して外部機器（図示せず）に対して出力する。
第２の復調部５０は、ＦＦＴ部４２４、第１〜第Ｎ／２の復調部４２６−１〜４２６−Ｍ／２、Ｐ／Ｓ４２８から構成される。
第１の復調部４８は、ガード除去部４２２から入力されたＮ／２個のサンプルを含む伝送データをＦＦＴ処理し、これらＮ／２個のサンプルそれぞれを復調してパラレル形式の受信データとし、さらに、パラレル形式の受信データをシリアル形式に変換し、データ切り替え部４６６を介して外部機器（図示せず）に対して出力する。
【００５５】
［１伝送フレームにＮ＋ｋサンプル分のデータが含まれる場合］
まず、第２のＯＦＤＭ送信機２（図７）と第２のＯＦＤＭ受信機５（図８）との間で、１伝送フレームにＮ個のサンプルとｋサンプル分のガードビットが含まれる伝送信号（伝送データ）が伝送される場合の動作を説明する。
【００５６】
第２のＯＦＤＭ送信機２（図７）において、遅延量測定部１６４および切り替え制御部１６６は、データ切り替え部１６０が、送信データを第１の変調部１８に対して出力し、データ切り替え部１６２が、第１のガード挿入部１０６−１が出力する伝送データを選択するように制御する。
また、第２のＯＦＤＭ受信機５（図８）において、方式検出部４６０および切り替え制御部４６２は、遅延量測定部１６４および切り替え制御部１６６は、データ切り替え部４６４が、伝送データを、第１のガード除去部４２２−１に対して出力し、データ切り替え部４６６が、第１の復調部４８が出力する受信データを選択するように制御する。
【００５７】
第１の変調部１８は、データ切り替え部１６０を介して入力される送信データに含まれるＮ個のシンボルを処理単位として、図４に示したように、１伝送フレームにＮ個のサンプルを含む伝送データを生成し、第１のガード挿入部１０６−１に対して出力する。
ガード挿入部１０６−１は、変調部１８から入力された伝送データに対して、図４に示したように、ｋサンプル分のガードビットを挿入し、データ切り替え部１６２を介して直交変調部１０８に対して出力する。
直交変調部１０８は、伝送データを直交変調し、送信部１２は、伝送データを送信信号に変換し、電力増幅して、アンテナ１２８および無線伝送路（図示せず）を介してＯＦＤＭ受信機５（図８）に対して送信する。
【００５８】
ＯＦＤＭ受信機５（図８）において、受信部４０は、無線伝送路およびアンテナ４００を介して伝送信号を受信し、伝送データに変換して、直交復調部４２０に対して出力する。
直交復調部４２０は、受信部４０から入力された伝送データを直交復調し、データ切り替え部４６４を介して第１のガード除去部４２２−１に対して出力する。
【００５９】
第１のガード除去部４２２−１は、伝送データに挿入されたｋサンプル分のガードビットを除去し、Ｎ個のサンプルを含む伝送データとして、第１の復調部４８に対して出力する。
第１の復調部４８は、ガード除去部４２２−１から入力された伝送データを復調して受信データとし、データ切り替え部４６６を介して出力する。
【００６０】
［１伝送フレームにＮ／２＋ｋ／２サンプル分のデータが含まれる場合］
次に、第２のＯＦＤＭ送信機２（図７）と第２のＯＦＤＭ受信機５（図８）との間で、１伝送フレームにＮ／２個のサンプルとｋ／２サンプル分のガードビットが含まれる伝送信号（伝送データ）が伝送される場合の動作を説明する。
【００６１】
第２のＯＦＤＭ送信機２（図７）において、遅延量測定部１６４および切り替え制御部１６６は、データ切り替え部１６０が、送信データを第２の変調部２０に対して出力し、データ切り替え部１６２が、第２のガード挿入部１０６−２が出力する伝送データを選択するように制御する。
また、第２のＯＦＤＭ受信機５（図８）において、方式検出部４６０および切り替え制御部４６２は、データ切り替え部４６４が、伝送データを、第２のガード除去部４２２−２に対して出力し、データ切り替え部４６６が、第２の復調部５０が出力する受信データを選択するように制御する。
【００６２】
第２の変調部２０は、データ切り替え部１６０を介して入力される送信データに含まれるＮ／２個のシンボルを処理単位として、図５に示したように、１伝送フレームにＮ／２個のサンプルを含む伝送データを生成し、第２のガード挿入部１０６−２に対して出力する。
ガード挿入部１０６−２は、変調部２０から入力された伝送データに対して、図５に示したように、ｋ／２サンプル分のガードビットを挿入し、データ切り替え部１６２を介して直交変調部１０８に対して出力する。
直交変調部１０８は、伝送データを直交変調し、送信部１２は、伝送データを送信信号に変換し、電力増幅して、アンテナ１２８および無線伝送路（図示せず）を介してＯＦＤＭ受信機５（図８）に対して送信する。
【００６３】
ＯＦＤＭ受信機５（図８）において、受信部４０は、無線伝送路およびアンテナ４００を介して伝送信号を受信し、伝送データに変換して、直交復調部４２０に対して出力する。
直交復調部４２０は、受信部４０から入力された伝送データを直交復調し、データ切り替え部４６４を介して第２のガード除去部４２２−２に対して出力する。
【００６４】
第２のガード除去部４２２−２は、伝送データに挿入されたｋ／２サンプル分のガードビットを除去し、Ｎ／２個のサンプルを含む伝送データとして、第２の復調部５０に対して出力する。
第２の復調部５０は、ガード除去部４２２−２から入力された伝送データを復調して受信データとし、データ切り替え部４６６を介して出力する。
【００６５】
なお、第２のＯＦＤＭ送信機２の直交変調部１０８および第２のＯＦＤＭ受信機５の直交復調部４２０において、例えば、ＢＰＳＫ方式により変調・復調が行われる場合には、図４に示した伝送フレームが用いられる場合には、Ｍｂｐｓのデータレートでデータ伝送が行われ、また、図５に示した伝送フレームが用いられる場合には、搬送信号数が上記の１／２となるので、Ｍ／２ｂｐｓのデータレートでデータ伝送が行われる。
また、図５に示した伝送フレームが用いられる場合に、ＯＦＤＭ送信機２およびＯＦＤＭ受信機５において、ＱＰＳＫ方式で変調・復調を行うと、ＯＦＤＭ受信機５は、Ｍビットを１シンボルとして送信することができ、図４に示した伝送フレームを用いた場合に比べて、同じ伝送帯域で２倍のデータレートのデータ伝送が可能になる。
【００６６】
［第２実施形態］
以下、本発明の第２の実施形態を説明する。
【００６７】
［第３のＯＦＤＭ送信機３］
図９は、本発明に係る第３のＯＦＤＭ送信機３の構成を示す図である。
なお、図９においては、第３のＯＦＤＭ送信機３の構成部分の内、第１および第２のＯＦＤＭ送信機１，２の構成部分と実質的に同じものには、同じ符号が付されている。
図９に示すように、第３のＯＦＤＭ送信機３は、第３の送信データ生成部２２および送信部１２から構成される。
送信データ生成部２２は、（選択Ｓ／Ｐ）３０２、選択マッピング部３２０−１〜３２０−Ｍ、ＩＦＦＴ部１０４、遅延量測定部１６４、切り替え制御部３００、選択ガード挿入部３０４および直交変調部１０８から構成される。
なお、送信データ生成部２２は、専用のハードウェアにより実現される他、ＤＳＰ回路１４によっても実現され得る。
【００６８】
第３のＯＦＤＭ送信機３は、これらの構成部分により、図７に示した第２のＯＦＤＭ送信機２と同様に、ＯＦＤＭ送信機３と組み合わせて用いられる第２または第３のＯＦＤＭ受信機５，６（図８，図１２）との間の伝送路において、例えば、マルチパス遅延量が大きい場合には、１伝送フレームにＮ個のサンプルとｋサンプル分のガードビットとを含む伝送信号を生成して、ＯＦＤＭ受信機５，６に対して送信する。
反対に、ＯＦＤＭ送信機３は、例えば、伝送路におけるマルチパス遅延量が小さい小さい場合には、１伝送フレームにＮ／２個のサンプルとｋ／２サンプル分のガードビットとを含む伝送信号を生成して、第２または第３のＯＦＤＭ受信機５，６に対して送信する。
【００６９】
切り替え制御部３００は、遅延量測定部１６４から入力されるマルチパス遅延量に応じて、図１０，図１１を参照して後述するように、選択Ｓ／Ｐ３０２、選択マッピング部３２０−１〜３２０−Ｍおよび選択ガード挿入部３０４を制御し、１フレームにＮ個のサンプルとｋサンプル分のガードビットを含む伝送データ、または、１フレームにＮ／２個のサンプルとｋ／２サンプル分のガードビットを含む伝送データを生成させる。
【００７０】
［選択Ｓ／Ｐ３０２，選択ガード挿入部３０４］
以下、選択Ｓ／Ｐ３０２および選択ガード挿入部３０４の動作を説明する。
図１０は、図９に示した第３のＯＦＤＭ送信機３が、Ｎ個のサンプルとｋサンプル分のガードビットを含む伝送フレームを送信するときの選択Ｓ／Ｐ３０２、ＩＦＦＴ部１０４および選択ガード挿入部３０４の動作を示す図である。
図１１は、図９に示した第３のＯＦＤＭ送信機３が、Ｎ／２サンプルとｋ／２サンプル分のガードビットを含む伝送フレームを送信するときの選択Ｓ／Ｐ３０２、ＩＦＦＴ部１０４および選択ガード挿入部３０４の動作を示す図である。
【００７１】
まず、第３のＯＦＤＭ送信機３が、Ｎ個のサンプルとｋサンプル分のガードビットを含む伝送フレームを送信する場合を説明する。
この場合、ＯＦＤＭ送信機３の選択Ｓ／Ｐ３０２には、外部機器などからＭビットの送信データが１つのブロックとして入力され、選択マッピング部３２０は、Ｍ個の搬送波信号それぞれを１ビットのデータによりＢＰＳＫ変調し、マップドデータとする。
つまり、図１０に示すように、選択Ｓ／Ｐ３０２は、シリアル形式で入力される送信データをパラレル形式に変換し、選択マッピング部３２０−１〜３２０−Ｍは、第ｘ〜第ｘ＋Ｍ−１のＭビットの送信データを、ＢＰＳＫ変調してマップドデータｇ（ｘ）〜ｇ（ｘ＋Ｍ−１）とし、さらに、これらのデータをＮ個の周波数データＦ−Ｎ／２〜ＦＮ／２−１とする。
【００７２】
ＩＦＦＴ部１０４は、これらＮ個の周波数データＦ−Ｎ／２〜ＦＮ／２−１をＩＦＦＴ変換し、時間領域データｆ０〜ｆＮ−１に変換する。
選択ガード挿入部３０４は、これらＮサンプルの時間領域データｆ０〜ｆＮ−１を、伝送データの本体とし、ｋサンプルの時間領域データｆＮ−ｋ〜ｆＮ−１を、ガードビットとする。
【００７３】
次に、第３のＯＦＤＭ送信機３が、Ｎ／２個のサンプルとｋ／２サンプル分のガードビットを含む伝送フレームを送信する場合を説明する。
この場合、ＯＦＤＭ送信機３の選択Ｓ／Ｐ３０２には、Ｍ／２ビットの送信データが１つのブロックとして入力され、選択マッピング部３２０−１〜３２０−Ｍは、Ｍ／２個の搬送波信号それぞれを１ビットのデータでＢＰＳＫ変調する。
図１１に示すように、選択Ｓ／Ｐ３０２は、シリアル形式で入力される送信データをパラレル形式に変換し、選択マッピング部３２０−１〜３２０−Ｍは、第ｘ〜第ｘ＋Ｍ／２−１のＭビットの送信データを、ＢＰＳＫ変調してマップドデータｇ（ｘ）〜ｇ（ｘ＋Ｍ／２−１）に変換し、さらに、これらのデータをＮ個の周波数データＦ−Ｎ／２〜ＦＮ／２−１とする。
【００７４】
Ｎ個のシンボルをＩＦＦＴ処理するＩＦＦＴ部１０４を用いて、Ｎ／２個のサンプルを含む伝送データを生成する場合には、図１１に示すように、偶数番目の周波数領域データＦｐ（ｐは偶数）のみをＩＦＦＴ部１０４に対する入力とし、他の周波数領域データＦｑ（ｑは奇数）の値を０とすればよい。
選択マッピング部３２０−１〜３２０−Ｍは、このように、１つおきに０が挿入されたＦ−Ｎ／２〜ＦＮ／２−１を、ＩＦＦＴ部１０４に対して出力する。
ＩＦＦＴ部１０４は、これらＮ個の周波数データＦ−Ｎ／２〜ＦＮ／２−１をＩＦＦＴ変換し、Ｎサンプルの時間領域データｆ０〜ｆＮ−１に変換する。
選択ガード挿入部３０４は、これらＮサンプルの時間領域データｆ０〜ｆＮ−１の前半のデータｆ０〜ｆＮ／２−１のみを、伝送データの本体とし、ｋ／２サンプルの時間領域データｆＮ−ｋ／２〜ｆＮ−１を、ガードビットとする。
【００７５】
［第３のＯＦＤＭ受信機６］
図１２は、本発明に係る第３のＯＦＤＭ受信機６の構成を示す図である。
図１２に示すように、ＯＦＤＭ受信機６は、送信部１２および送信データ生成部２２から構成される。
送信データ生成部２２は、直交変調部１０８、方式検出部４６０、切り替え制御部６０２、選択ガード除去部６０４、ＦＦＴ部４２４、選択復調部６２０−１〜６２０−Ｍおよび選択パラレル／シリアル変換部（選択Ｐ／Ｓ）６０６から構成される。
送信データ生成部２２は、専用のハードウェアによる他、ＤＳＰ回路１４（図４）によっても実現されうる。
ＯＦＤＭ受信機６は、これらの構成部分により、第２または第３のＯＦＤＭ送信機２，３（図７，図９）から伝送信号を受信して伝送データとし、第２または第３のＯＦＤＭ送信機２，３における伝送フレーム構成に合わせて復調し、受信データとして出力する。
【００７６】
切り替え制御部６０２は、方式検出部４６０の検出結果に応じて、ＦＦＴ部４２４、選択復調部６２０−１〜６２０−Ｍおよび選択Ｐ／Ｓ６０６を制御して、受信された伝送データに含まれるＮ個のサンプルまたはＮ／２個のサンプルを復調させる。
【００７７】
選択ガード除去部６０４は、ＯＦＤＭ送信機３における選択ガード挿入部３０４に対応する処理を行い、伝送データから、ｋサンプル分またはｋ／２サンプル分のガードビットを除去し、ＦＦＴ部４２４に対して出力する。
つまり、選択ガード除去部６０４は、ｋサンプル分のガードビットを除去した後、Ｎ個のサンプルを含む伝送データを、そのままＦＦＴ部４２４に対して出力する。
あるいは、局部発振回路４０４は、ｋ／２サンプル分のガードビットを除去した後、Ｎ／２個のサンプルを、ＦＦＴ部４２４の第１番目〜第Ｎ／２番目の入力とし、０を、ＦＦＴ部４２４の第Ｎ／２＋１番目〜Ｎ番目の入力とする。
ＦＦＴ部４２４は、これらのサンプルをＦＦＴ処理し、周波数領域のデータとする。
【００７８】
選択復調部６２０−１〜６２０−Ｍおよび選択Ｐ／Ｓ６０６は、ＯＦＤＭ送信機３おける選択マッピング部３２０および選択Ｐ／Ｓ６０６に対応する処理を行い、ＦＦＴ部４２４から入力される周波数領域のデータから、１伝送フレーム当たりＮシンボルまたはＮ／２シンボルの受信データを復調し、シリアル形式に変換して、外部機器に対して出力する。
【００７９】
［１伝送フレームにＮ＋ｋサンプル分のデータが含まれる場合］
まず、第３のＯＦＤＭ送信機３（図９）と第３のＯＦＤＭ受信機６（図１２）との間で、１伝送フレームにＮ個のサンプルとｋサンプル分のガードビットが含まれる伝送信号（伝送データ）が伝送される場合の動作を説明する。
【００８０】
第３のＯＦＤＭ送信機３（図９）において、遅延量測定部１６４および切り替え制御部３００は、図１０に示したように、選択Ｓ／Ｐ３０２、マッピング部１０２−１〜１０２−ＭおよびＩＦＦＴ部１０４が、Ｎ個のサンプルを含む伝送データを生成するように制御し、さらに、選択ガード挿入部３０４が、ｋサンプル分のガードデータを挿入するように制御する。
また、第３のＯＦＤＭ受信機６（図１２）において、方式検出部４６０および切り替え制御部６０２は、選択ガード除去部６０４、ＦＦＴ部４２４、復調部４２６−１〜４２６−Ｍおよび選択Ｐ／Ｓ６０６が、ＯＦＤＭ送信機３における変調処理（図１０）に対応する復調処理を行うように制御する。
つまり、方式検出部４６０および切り替え制御部６０２は、選択ガード除去部６０４が、伝送データからｋサンプル分のガードビットを除去し、ＦＦＴ部４２４、復調部４２６−１〜４２６−Ｍおよび選択Ｐ／Ｓ６０６が、Ｎ個のサンプルを含む伝送データを復調するように制御する。
【００８１】
第３のＯＦＤＭ送信機３（図９）において、選択Ｓ／Ｐ３０２、マッピング部１０２−１〜１０２−ＭおよびＩＦＦＴ部１０４は、制御に従って、Ｎ個のサンプルを含む伝送データを生成し、選択ガード挿入部３０４に対して出力する。
選択ガード挿入部３０４は、ＩＦＦＴ部１０４から入力された伝送データに対して、図１０に示したように、ｋサンプル分のガードビットを挿入し、直交変調部１０８に対して出力する。
直交変調部１０８は、伝送データを直交変調し、送信部１２は、伝送データを送信信号に変換し、電力増幅して、アンテナ１２８および無線伝送路（図示せず）を介してＯＦＤＭ受信機６（図１２）に対して送信する。
【００８２】
ＯＦＤＭ受信機６（図１２）において、受信部４０は、無線伝送路およびアンテナ４００を介して伝送信号を受信し、伝送データに変換して、直交復調部４２０に対して出力する。
直交復調部４２０は、受信部４０から入力された伝送データを直交復調し、選択ガード除去部６０４に対して出力する。
【００８３】
選択ガード除去部６０４は、伝送データに挿入されたｋサンプル分のガードビットを除去し、Ｎ個のサンプルを含む伝送データとして、ＦＦＴ部４２４に対して出力する。
ＦＦＴ部４２４は、選択ガード除去部６０４から入力された伝送データを復調し、受信データとして出力する。
【００８４】
［１伝送フレームにＮ／２＋ｋ／２サンプル分のデータが含まれる場合］
次に、第３のＯＦＤＭ送信機３（図９）と第３のＯＦＤＭ受信機６（図１２）との間で、１伝送フレームにＮ／２個のサンプルとｋ／２サンプル分のガードビットが含まれる伝送信号（伝送データ）が伝送される場合の動作を説明する。
【００８５】
第３のＯＦＤＭ送信機３（図９）において、遅延量測定部１６４および切り替え制御部３００は、図１１に示したように、選択Ｓ／Ｐ３０２、マッピング部１０２−１〜１０２−ＭおよびＩＦＦＴ部１０４が、Ｎ／２個のサンプルを含む伝送データを生成するように制御し、さらに、選択ガード挿入部３０４が、ｋ／２サンプル分のガードデータを挿入するように制御する。
また、第３のＯＦＤＭ受信機６（図１２）において、方式検出部４６０および切り替え制御部６０２は、選択ガード除去部６０４、ＦＦＴ部４２４、復調部４２６−１〜４２６−Ｍおよび選択Ｐ／Ｓ６０６が、ＯＦＤＭ送信機３における変調処理（図１１）に対応する復調処理を行うように制御する。
つまり、方式検出部４６０および切り替え制御部６０２は、選択ガード除去部６０４が、伝送データからｋ／２サンプル分のガードビットを除去し、ＦＦＴ部４２４、復調部４２６−１〜４２６−Ｍおよび選択Ｐ／Ｓ６０６が、Ｎ／２個のサンプルを含む伝送データを復調するように制御する。
【００８６】
第３のＯＦＤＭ送信機３（図９）において、選択Ｓ／Ｐ３０２、マッピング部１０２−１〜１０２−ＭおよびＩＦＦＴ部１０４は、制御に従って、Ｎ／２個のサンプルを含む伝送データを生成し、選択ガード挿入部３０４に対して出力する。
選択ガード挿入部３０４は、ＩＦＦＴ部１０４から入力された伝送データに対して、図１１に示したように、ｋ／２サンプル分のガードビットを挿入し、直交変調部１０８に対して出力する。
直交変調部１０８は、伝送データを直交変調し、送信部１２は、伝送データを送信信号に変換し、電力増幅して、アンテナ１２８および無線伝送路（図示せず）を介してＯＦＤＭ受信機６（図１２）に対して送信する。
【００８７】
ＯＦＤＭ受信機６（図１２）において、受信部４０は、無線伝送路およびアンテナ４００を介して伝送信号を受信し、伝送データに変換して、直交復調部４２０に対して出力する。
直交復調部４２０は、受信部４０から入力された伝送データを直交復調し、選択ガード除去部６０４に対して出力する。
【００８８】
選択ガード除去部６０４は、伝送データに挿入されたｋ／２サンプル分のガードビットを除去し、Ｎ／２個のサンプルを含む伝送データとして、ＦＦＴ部４２４に対して出力する。
ＦＦＴ部４２４は、選択ガード除去部６０４から入力された伝送データを復調し、受信データとして出力する。
【００８９】
以上説明したＯＦＤＭ方式の第２および第３のＯＦＤＭ送信機２，３およびＯＦＤＭ受信機５，６を用いて、１伝送フレームに含まれるサンプル数を、伝送路の状態に応じて、適応的に変更して変調し、伝送することにより、データ伝送の品質を常に高く保つことができ、データ伝送の能率を常に高く保つことができる。
また、これらＯＦＤＭ送信機２，３およびＯＦＤＭ受信機４，５を実現するためには、ソフトウェア的な変更を、ＤＳＰを用いたＯＦＤＭ方式の送信機・受信機に加えればよく、従来のＯＦＤＭ方式の送信機・受信機のハードウェアを、ほとんど変更しなくてよい。
【００９０】
【発明の効果】
以上説明したように、本発明に係る変調装置および復調装置は、マルチキャリア通信方式などの伝送信号の振幅のピーク値を、伝送路の状態に応じて効果的に抑制することができる。
【図面の簡単な説明】
【図１】本発明の背景の説明のために例示する第１のＯＦＤＭ送信機の構成を示す図である。
【図２】図１に示した送信データ生成部のハードウェア構成を例示する図である。
【図３】本発明の背景の説明のために例示する第１のＯＦＤＭ受信機の構成を示す図である。
【図４】本発明の概要を説明する第１の図であって、ＯＦＤＭ方式によりデータ伝送を行う際に、伝送路におけるマルチパス遅延波の遅延量が多いときに採用されるべき伝送データの構成（上部）と、伝送信号の波形（下部）とを例示する。
【図５】図５は、本発明の概要を説明する第２の図であって、ＯＦＤＭ方式によりデータ伝送を行う際に、伝送路におけるマルチパス遅延波の遅延量が少ないときに採用されるべき伝送データの構成（上部）と、伝送信号の波形（下部）とを例示する。
【図６】マルチパス遅延波の遅延量と、伝送フレームに含まれるシンボル数とガード時間との関係を示す図表である。
【図７】本発明に係る第２のＯＦＤＭ送信機の構成を示す図である。
【図８】本発明に係る第２のＯＦＤＭ受信機の構成を示す図である。
【図９】本発明に係る第３のＯＦＤＭ送信機の構成を示す図である。
【図１０】図９に示した第３のＯＦＤＭ送信機が、Ｎ個のサンプルとｋサンプル分のガードビットを含む伝送フレームを送信するときの選択Ｓ／Ｐ、ＩＦＦＴ部および選択ガード挿入部の動作を示す図である。
【図１１】図９に示した第３のＯＦＤＭ送信機が、Ｎ／２サンプルとｋ／２サンプル分のガードビットを含む伝送フレームを送信するときの選択Ｓ／Ｐ、ＩＦＦＴ部および選択ガード挿入部の動作を示す図である。
【図１２】本発明に係る第３のＯＦＤＭ受信機の構成を示す図である。
【符号の説明】
１〜３・・・ＯＦＤＭ送信機、
１０・・・送信データ生成部、
１８，２０・・・変調部、
１００・・・Ｓ／Ｐ、
１０２・・・マッピング部、
１０４・・・ＩＦＦＴ部、
１０６・・・ガード挿入部、
１０８・・・直交変調部、
１６０，１６２・・・データ切り替え部、
１６４・・・遅延量測定部、
１６６，３００・・・切り替え制御部、
３０２・・・選択Ｓ／Ｐ、
３０４・・・選択ガード挿入部、
１２・・・送信部、
１２０・・・Ｄ／Ａ変換器、
１２２・・・局部発信回路、
１２４・・・周波数変換回路
１２６・・・ＴＸ−ＡＭＰ、
１２８・・・アンテナ、
１４・・・ＤＳＰ回路、
１４０・・・入力ＩＦ、
１４２・・・ＤＳＰ、
１４４・・・ＲＯＭ、
１４６・・・ＲＡＭ、
１４８・・・出力ＩＦ、
４〜６・・・ＯＦＤＭ受信機、
４０・・・受信部、
４００・・・アンテナ、
４０２・・・局部発振回路、
４０６・・・周波数変換回路、
４０８・・・Ａ／Ｄ変換器、
４２・・・伝送データ復調部、
４２０・・・直交復調部、
４２２・・・ガード除去部、
４８，５０・・・復調部、
４２４・・・ＦＦＴ部、
４２６・・・復調部、
４２８・・・Ｐ／Ｓ、
４６０・・・方式検出部、
４６２，６０２・・・切り替え制御部、
４６４，４６６・・・データ切り替え部、
６０４・・・選択ガード除去部、
６０６・・・選択Ｐ／Ｓ、
【図１】
2004274535.tif 000003
【図２】
2004274535.tif 000004
【図３】
2004274535.tif 000005
【図４】
2004274535.tif 000006
【図５】
2004274535.tif 000007
【図６】
2004274535.tif 000008
【図７】
2004274535.tif 000009
【図８】
2004274535.tif 000010
【図９】
2004274535.tif 000011
【図１０】
2004274535.tif 000012
【図１１】
2004274535.tif 000013
【図１２】
2004274535.tif 000014